(57)【要約】【課題】  様々な環境下で使用する場合であっても吹込口の衛生状態を常に清潔に保つとともに、矢の装填を容易にし、かつ装填後における移動（位置ズレ）を防止する。【解決手段】  パイプ部材Ｐと、当該パイプ部材Ｐの一端側に設けることにより空気Ａを吹き込む吹込口Ｐｓと、当該パイプ部材Ｐの他端側に設けることにより矢Ｄが飛び出す飛出口Ｐｐとを有してなる吹筒体を備えるブローライフルを構成するに際して、吹込口Ｐｓの近傍に位置するパイプ部材Ｐの周面部Ｐｆに、外部から当該パイプ部材Ｐの内部Ｐｉに矢Ｄを装填可能に形成した装填口３を設けるとともに、このパイプ部材Ｐの外周面Ｐｆｏに、装填口３を開閉可能な開閉部材４を設けてなる吹筒体２を備える。【選択図】  図１
2019074248.tif 000002
【特許請求の範囲】
【請求項１】
パイプ部材と、当該パイプ部材の一端側に設けることにより空気を吹き込む吹込口と、当該パイプ部材の他端側に設けることにより矢が飛び出す飛出口とを有してなる吹筒体を備えるブローライフルにおいて、前記吹込口の近傍に位置する前記パイプ部材の周面部に、外部から当該パイプ部材の内部に前記矢を装填可能に形成した装填口を設けるとともに、このパイプ部材の外周面に、前記装填口を開閉可能な開閉部材を設けてなる吹筒体を備えることを特徴とするブローライフル。
【請求項２】
前記吹筒体は、前記装填口と前記吹込口間に、前記矢の移動を阻止する内方に突出したストッパ部を設けてなることを特徴とする請求項１記載のブローライフル。
【請求項３】
前記装填口は、前記パイプ部材の径方向における周面部の半部を切欠いて形成することを特徴とする請求項１又は２記載のブローライフル。
【請求項４】
前記吹込ピースは、前記パイプ部材の一端側に対して着脱可能に構成することを特徴とする請求項１記載のブローライフル。
【請求項５】
前記吹込ピースは、前記開閉部材に係止して当該開閉部材の移動を規制する機能を兼用することを特徴とする請求項４記載のブローライフル。
【請求項６】
前記吹込ピースは、少なくとも一部に延長用のフレキシブルホースを含むことを特徴とする請求項４又は５記載のブローライフル。
【請求項７】
前記開閉部材は、前記周面部の外周面上に、軸方向へスライド移動可能に配したパイプ体により構成することを特徴とする請求項１記載のブローライフル。
【請求項８】
前記開閉部材は、当該開閉部材を移動させる取手部を備えることを特徴とする請求項１又は７記載のブローライフル。
【発明の詳細な説明】
【技術分野】
【０００１】
本発明は、レクリエーションや健康増進等を目的として利用するパイプ部材により形成した吹筒体を備えるブローライフルに関する。
【背景技術】
【０００２】
従来、パイプ部材と、当該パイプ部材の一端側に設けることにより空気を吹き込む吹込口と、当該パイプ部材の他端側に設けることにより矢が飛び出す飛出口とを有してなる吹筒体を備えたブローライフルとしては、特許文献１に開示されるブローライフル，特許文献２に開示される吹矢，及び特許文献３に開示される吹き矢道具等が知られている。
【０００３】
特許文献１のブローライフルは、レクリエーション感覚と健康増進目的に利用できるようにするとともに、使用できる場所を拡大できるブローライフルの提供を目的としたものであり、具体的には、全長を７００〔ｍｍ〕以上の吹筒体パイプ材により形成した吹筒体を備え、この吹筒体の一端開口から内部に矢を挿入し、当該一端開口から空気を吹き込むことにより、吹筒体の他端開口から矢が外部に飛び出るように構成したものである。また、特許文献２の吹矢は、内部に矢を装填できる筒状に形成した吹筒を備えて構成したものであり、この吹筒には、合成ゴム、天然ゴム及び熱可塑性エラストマーからなる群から選ばれる弾性体材料から構成される矢を装填できる。さらに、特許文献３の吹矢は、吹き矢を行う際にプレイヤーが操作しやすいとともに、矢筒が軽量で丈夫な吹き矢道具の提供を目的としたものであり、具体的には、軽金属からなる中空円筒状のパイプの全外周に軸方向に一定間隔で形成した溝と前記パイプの一端開口に設けた吹き口とからなる矢筒及び該矢筒の外周に外嵌されて軸方向にスライド自在な生木を切り抜いた中空状の把持部とを設けて構成したものである。
【先行技術文献】
【特許文献】
【０００４】
【特許文献１】実用新案登録第３１６６７９２号公報
【特許文献２】特開２００１−１６５５９５号公報
【特許文献３】特開２００６−０４６８２０号公報
【発明の概要】
【発明が解決しようとする課題】
【０００５】
しかし、上述した従来のブローライフル（吹筒，矢筒）は、次のような解決すべき課題も存在した。
【０００６】
第一に、いずれの場合も、一端側に空気を吹き込む吹込口を有し、かつ他端側に矢が飛び出す飛出口を有するパイプ状の吹筒体を備えるため、使用する場合、通常、吹込口から矢を吹筒体の内部に装填（挿入）するとともに、装填は一回の使用毎に行っている。したがって、吹込口は、装填時に接触する矢や手（指）により汚れ易い状態にあるとともに、一方、吹込口は、使用者の唇が接触する部分ともなる。結局、従来の吹筒体は、衛生上の観点からは不衛生になりやすい難点があった。
【０００７】
第二に、ブローライフルは、レクリエーションや健康増進等を目的とするため、高齢者が行う場合も少なくない。この場合、矢の装填を行う吹込口は、当該矢の径とほぼ同じ内径の円形となるため、必ずしも容易に装填できるとは言い難いとともに、加えて、吹筒体が前下がりに傾斜した状態で装着することも少なくない。結局、装填した矢が吹筒体の内部を移動しやすいなど、装填位置を定位置にセットしにくい難点があった。
【０００８】
本発明は、このような背景技術に存在する課題を解決したブローライフルの提供を目的とするものである。
【課題を解決するための手段】
【０００９】
本発明に係るブローライフル１は、上述した課題を解決するため、パイプ部材Ｐと、当該パイプ部材Ｐの一端側に設けることにより空気Ａを吹き込む吹込口Ｐｓと、当該パイプ部材Ｐの他端側に設けることにより矢Ｄが飛び出す飛出口Ｐｐとを有してなる吹筒体を備えるブローライフルを構成するに際して、吹込口Ｐｓの近傍に位置するパイプ部材Ｐの周面部Ｐｆに、外部から当該パイプ部材Ｐの内部Ｐｉに矢Ｄを装填可能に形成した装填口３を設けるとともに、このパイプ部材Ｐの外周面Ｐｆｏに、装填口３を開閉可能な開閉部材４を設けてなる吹筒体２を備えることを特徴とする。
【００１０】
この場合、発明の好適な態様により、吹筒体２の装填口３と吹込口Ｐｓ間には、矢Ｄの移動を阻止する内方に突出したストッパ部Ｐｋ…を設けることができる。また、装填口３は、パイプ部材Ｐの径方向Ｆｄにおける周面部Ｐｆの半部を切欠いて形成することができる。一方、吹込ピース１２は、パイプ部材Ｐの一端側に対して着脱可能に構成することができ、この吹込ピース１２には、開閉部材４に係止して当該開閉部材４の移動を規制する機能を兼用させることができるとともに、吹込ピース１２の少なくとも一部には延長用のフレキシブルホース１２ｈを含ませることができる。他方、開閉部材４は、周面部Ｐｆの外周面Ｐｆｏ上に、軸方向Ｆｓへスライド移動可能に配したパイプ体Ｑにより構成することができるとともに、この開閉部材４には、当該開閉部材４を移動させる取手部１１ｆ，１１ｒを設けることができる。
【発明の効果】
【００１１】
このような構成を有する本発明に係るブローライフル１によれば、次のような顕著な効果を奏する。
【００１２】
（１）  矢Ｄを吹筒体２に装填する際には、吹込口Ｐｓから離れた位置の装填口３に投入できるため、使用者が唇を当てて空気Ａを吹き込む吹込口Ｐｓに、矢Ｄや手（指）が接触する不具合を回避することができる。この結果、吹込口Ｐｓに対する無用な汚れを防止できるため、屋内及び屋外を問わず、様々な環境下で使用する場合であっても、吹込口Ｐｓの衛生状態を常に清潔に保つことができる。
【００１３】
（２）  吹筒体２をほぼ水平に維持した状態で上方から吹筒体２の内部に矢Ｄを投入できるとともに、矢Ｄの長さよりも長い形状を選定可能な装填口３に投入できるため、吹筒体２に対して矢Ｄを容易に装填することができ、装填後における移動（位置ズレ）を防止することができる。したがって、特に、高齢者がレクリエーションや健康増進等を目的として使用する場合に最適となる。
【００１４】
（３）  好適な態様により、吹筒体２の装填口３と吹込口Ｐｓ間に、矢Ｄの移動を阻止する内方に突出したストッパ部Ｐｋ…を設ければ、使用時の空気吸い込みにより矢Ｄが吸込み方向に移動した場合であっても、当該移動を確実に阻止することができるため、誤って矢Ｄが使用者の口の中に入ってしまう弊害を回避することができる。
【００１５】
（４）  好適な態様により、装填口３を形成するに際し、パイプ部材Ｐの径方向Ｆｄにおける周面部Ｐｆの半部を切欠いて形成するようにすれば、追加部品や複雑な加工等を施すことなく装填口３を設けることができるため、容易かつ低コストに実施できるとともに、装填したい矢Ｄの大きさや形状等に適合するように形成できるため、既に使用していた吹矢用具（スポーツ用吹矢や狩猟用吹矢など）への応用も可能になる。
【００１６】
（５）  好適な態様により、吹込ピース１２を、パイプ部材Ｐの一端側に対して着脱可能に構成すれば、様々なタイプの吹込ピース１２を選択して装着可能になるため、使用者の特性や好み等に応じて任意の吹込ピース１２を使用することができる。
【００１７】
（６）  好適な態様により、吹込ピース１２に、開閉部材４に係止して当該開閉部材４の移動を規制する機能を兼用させれば、開閉部材４を吹込口Ｐｓ側へ移動操作した際における閉位置の位置決めを容易に行うことができるため、装填口３を迅速かつ確実に閉じることができる。
【００１８】
（７）  好適な態様により、吹込ピース１２の少なくとも一部に延長用のフレキシブルホース１２ｈを含ませれば、使用時におけるブローライフル１の位置や角度（方向）を自由に設定できるため、例えば、吹筒体２を小脇に抱えるライフルのエイミングゲームへの応用が可能になるなど、ブローライフル１の面白さをより高めることができるとともに、様々な場所においての使用可能性を高めることができ、ブローライフル１の多様性，汎用性及び発展性に寄与することができる。
【００１９】
（８）  好適な態様により、開閉部材４を設けるに際し、周面部Ｐｆの外周面Ｐｆｏ上に、軸方向Ｆｓへスライド移動可能に配したパイプ体Ｑにより構成すれば、パイプ材を用意し、このパイプ材を切断することにより容易に製作できるとともに、周面部Ｐｆの外周面Ｐｆｏにそのまま装着すれば足りるため、吹筒体２を変更することなく、容易に組み付けることができ、しかも、前後にスライド移動させるのみで容易に開閉操作を行うことができる。加えて、このパイプ体Ｑは、吹筒体２（パイプ部材Ｐ）に対して着脱可能になるため、パイプ体Ｑを取外せば、矢Ｄを飛ばすことができなくなり、保管時には、パイプ体Ｑと吹筒体２を別々に管理できるなど、万が一、盗難等にあっても悪用を回避することができる。
【００２０】
（９）  好適な態様により、開閉部材４に、当該開閉部材４を移動させる取手部１１ｆ，１１ｒを設ければ、取手部１１ｆ，１１ｒを利用して開閉操作を行うことができるため、年配者等であっても容易に開閉操作することができる。
【図面の簡単な説明】
【００２１】
【図１】本発明の好適実施形態に係るブローライフルに備える吹筒体の開閉部材を開位置に移動させた状態の一部を示す外観側面図、
【図２】同ブローライフルに備える吹筒体の開閉部材を閉位置に移動させた状態の一部を示す外観側面図、
【図３】同ブローライフルの全体を示す外観側面図、
【図４】同ブローライフルの一部を示す外観斜視図、
【図５】同ブローライフルに備える吹筒体の開閉部材を開位置に移動させた状態の一部を示す断面側面図、
【図６】同ブローライフルに備える吹筒体の開閉部材を閉位置に移動させた状態の一部を示す断面側面図、
【図７】図１中Ｗ−Ｗ線断面図、
【図８】同ブローライフルの使用方法の説明図、
【図９】同ブローライフルに備える吹筒体の変更例を示す断面側面図、
【図１０】図９中Ｘ−Ｘ線断面図、
【図１１】同ブローライフルに備える吹込ピースの変更例を示す断面側面図、
【図１２】同ブローライフルに備える吹込ピースの他の変更例を示す一部拡大抽出図を含む外観側面図、
【発明を実施するための形態】
【００２２】
次に、本発明に係る好適実施形態を挙げ、図面に基づき詳細に説明する。
【００２３】
まず、本実施形態に係るブローライフル１の構成について、図１〜図８を参照して説明する。
【００２４】
本実施形態に係るブローライフル１は、大別して、図１〜図７に示すように、吹筒体２及び矢Ｄの組合わせにより構成する。
【００２５】
吹筒体２は、アルミニウム素材或いはプラスチック素材等の軽量な剛性素材を用いたパイプ部材Ｐにより形成する。例示のパイプ部材Ｐは、厚さが０．８〔ｍｍ〕のアルミニウム素材を用いた。また、図３に示すように、吹筒体２の全長Ｌｐは、７００〔ｍｍ〕以上、望ましくは１０００〔ｍｍ〕以上に選定する。なお、例示する吹筒体２の全長Ｌｐは、１２００〔ｍｍ〕に選定し、かつ直径（外径）Ｌｄは１４〔ｍｍ〕に選定した。この吹筒体２は、一端側に空気Ａを吹き込む吹込口Ｐｓを有するとともに、他端側に矢Ｄが飛び出す飛出口Ｐｐを有している。
【００２６】
この場合、図１及び図５に示すように、パイプ部材Ｐの一端側には吹込ピース１２を装着し、この吹込ピース１２の端部を吹込口Ｐｓとして構成する。したがって、吹込ピース１２は、柔軟性を有する合成樹脂素材によりリング状（筒状）に形成するとともに、一端開口から内部（内周面）には、パイプ部材Ｐの外周面Ｐｆｏの一端側を圧入可能な装着孔１２ｃを設けるとともに、他端開口には、パイプ部材Ｐの一端側が係止可能な規制孔１２ｓを設ける。したがって、装着孔１２ｃは、パイプ部材Ｐの外径よりもやや小径となる内径を選定するとともに、装着孔１２ｃと規制孔１２ｓ間には、パイプ部材Ｐの厚さと略同じ段差を設ける。これにより、吹込ピース１２をパイプ部材Ｐの吹込口Ｐｓに装着した際には、パイプ部材Ｐの外周面Ｐｆｏ上に吹込ピース１２の肉厚に基づく大径部が設けられる。なお、飛出口Ｐｐは、パイプ部材Ｐの他端側におけるカット端をそのまま用いる。
【００２７】
一方、図１に示すように、吹込口Ｐｓの近傍に位置するパイプ部材Ｐの周面部Ｐｆには、外部から当該パイプ部材Ｐの内部Ｐｉに矢Ｄ（図８（ａ）参照）を投入可能な装填口３を形成する。この場合、装填口３は、図７に示すように、パイプ部材Ｐの径方向Ｆｄにおける周面部Ｐｆの半部を切欠いて形成することができる。また、軸方向Ｆｓにおける長さは、少なくとも矢Ｄの長さよりも長い寸法を選定し、望ましくは容易に矢Ｄを投入できるようにやや長めに形成することが望ましい。このように形成すれば、追加部品や複雑な加工等を施すことなく装填口３を設けることができるため、容易かつ低コストに実施できるとともに、装填したい矢Ｄの大きさや形状等に適合するように形成できるため、既に使用していた吹矢用具（スポーツ用吹矢や狩猟用吹矢など）への応用も可能になる。
【００２８】
他方、図１及び図６に示すように、パイプ部材Ｐの外周面Ｐｆｏには、装填口３を開閉可能な開閉部材４を設ける。例示の開閉部材４は、パイプ部材Ｐの外周面Ｐｆｏ上に配することにより、軸方向Ｆｓにスライド移動可能となるパイプ体Ｑにより形成した。このパイプ体Ｑは、アルミニウム素材或いはプラスチック素材等を用いた剛性素材により形成した所定のパイプ材を切断又は一体成形することにより容易に得ることができる。例示のパイプ体Ｑは、厚さが０．８〔ｍｍ〕のアルミニウム素材を使用した。この場合、軸方向Ｆｓの長さは、装填口３の長さの概ね３倍程度を目安に選定できる。
【００２９】
このように、開閉部材４を形成するに際し、パイプ部材Ｐの外周面Ｐｆｏを軸方向Ｆｓへスライド移動可能となるパイプ体Ｑにより構成すれば、パイプ材を用意し、このパイプ材を切断することにより容易に製作できるとともに、周面部Ｐｆの外周面Ｐｆｏにそのまま装着すれば足りるため、吹筒体２を変更することなく、容易に組み付けることができ、しかも、前後にスライド移動させるのみで容易に開閉操作を行うことができる。加えて、このパイプ体Ｑは、吹筒体２（パイプ部材Ｐ）に対して着脱可能になるため、パイプ体Ｑを取外せば、矢Ｄを飛ばすことができなくなり、保管時には、パイプ体Ｑと吹筒体２を別々に管理できるなど、万が一、盗難等にあっても悪用を回避できる利点がある。
【００３０】
また、開閉部材４には、当該開閉部材４を移動させる取手部１１ｆ，１１ｒを設ける。例示の場合、図６に示すように、パイプ体Ｑの両端開口にそれぞれ筒形に形成した端部カバー１１ｆｃ，１１ｒｃを取付けて固定する。例示する一方の端部カバー１１ｆｃは、ゴム素材により一体成形し、内部には、一端開口からパイプ体Ｑの一端を圧入可能な装着孔１５ｃを有するとともに、他端開口には、パイプ体Ｑの一端が係止可能な規制孔１５ｓを有する。したがって、装着孔１５ｃは、パイプ体Ｑの外径よりもやや小径となる内径を選定するとともに、規制孔１５ｓは、装着孔１５ｃの内径よりもやや小径となる内径を選定する。
【００３１】
これにより、端部カバー１１ｆｃの内周面には、パイプ体Ｑの肉厚よりもやや小さい寸法の段差が形成され、パイプ体Ｑの一端に装着した際には、パイプ体Ｑの端部を覆う。この端部カバー１１ｆｃは、端部を覆う保護カバーとしての機能を有するとともに、取手部１１ｆとしての機能を兼用する。一方の端部カバー１１ｆｃについて説明したが、他方の端部カバー１１ｒｃも端部カバー１１ｆｃをそのまま使用することができる。したがって、パイプ体Ｑの他端に取付固定することにより、他方の端部カバー１１ｒｃとして機能する。このように、開閉部材４に、当該開閉部材４を移動させる取手部１１ｆ，１１ｒを設ければ、取手部１１ｆ，１１ｒを利用して開閉操作を行うことができるため、年配者等であっても容易に開閉操作できる利点がある。
【００３２】
開閉部材４の製作に当たっては、特に、使用時（吹込時）に、呼気が装填口３を通して外部に漏れないように、パイプ体Ｑ及び端部カバー１１ｆｃ，１１ｒｃの形状や寸法、更には端部カバー１１ｆｃ，１１ｒｃの素材を選定する。また、端部カバー１１ｆｃ，１１ｒｃの素材や形状は、握りやすさや動かしやすさなどを考慮し、用途に応じて選定することができる。例えば、年配者用では、操作の容易性を確保する観点から、或いは競技用では、高い気密性を確保する観点からなどから選定することができる。
【００３３】
開閉部材４は、吹込ピース１２側へ移動させた際に、吹込ピース１２に当接した位置で停止する。この停止位置が装填口３を閉じる閉位置となる。したがって、吹込ピース１２は、開閉部材４に係止して当該開閉部材４の移動を規制する機能を兼用する。このように、吹込ピース１２は、開閉部材４を吹込口Ｐｓ側へ移動操作した際における閉位置の位置決めを行うことができるため、装填口３を迅速かつ確実に閉じることができる。一方、開閉部材４を吹込ピース１２から離れる方向に移動させれば、図２に示すように、装填口３を開く開位置へ移動させることができる。
【００３４】
なお、本実施形態に係るブローライフル１に適用できる矢Ｄとしては、各種形態の矢を適用できるが、実施形態では、図８（ａ）に示す飛体Ｄｆを用いた。この飛体Ｄｆは、前半部の球状部Ｄｐと後半部の羽根部Ｄｆをプラスチック等により一体形成したものである。なお、整流部Ｄｆは、周方向に等間隔で配した四枚の羽根Ｄｆｍ…を備えている。
【００３５】
よって、このような本実施形態に係るブローライフル１は、基本的な構成として、パイプ部材Ｐと、当該パイプ部材Ｐの一端側に設けることにより空気Ａを吹き込む吹込口Ｐｓと、当該パイプ部材Ｐの他端側に設けることにより矢Ｄが飛び出す飛出口Ｐｐとを有してなる吹筒体を備えるブローライフルを構成するに際して、吹込口Ｐｓの近傍に位置するパイプ部材Ｐの周面部Ｐｆに、外部から当該パイプ部材Ｐの内部Ｐｉに矢Ｄを装填可能に形成した装填口３を設けるとともに、このパイプ部材Ｐの外周面Ｐｆｏに、装填口３を開閉可能な開閉部材４を設けてなる吹筒体２を備えてなるため、矢Ｄを吹筒体２に装填する際には、吹込口Ｐｓから離れた位置の装填口３に投入可能となり、吹込口Ｐｓに、矢Ｄや手（指）が接触する不具合を回避することができる。この結果、使用者が唇を当てて空気Ａを吹き込む吹込口Ｐｓに対する汚れを防止できるため、屋内及び屋外を問わず、様々な環境下で使用する場合であっても、吹込口Ｐｓの衛生状態を常に清潔に保つことが可能となる。
【００３６】
また、吹筒体２をほぼ水平に維持した状態で上方から吹筒体２の内部に矢Ｄを投入できるとともに、矢Ｄの長さよりも長い形状を選定可能な装填口３に投入できるため、吹筒体２に対して、容易に矢Ｄの装填を行うことができるとともに、装填した後における移動（位置ズレ）を防止することができる。したがって、特に、高齢者がレクリエーションや健康増進等を目的として使用する場合に最適となる。
【００３７】
次に、本実施形態に係るブローライフル１の使用方法及び作用について、図８（ａ）及び（ｂ）、さらに、図１〜図７を参照して説明する。
【００３８】
本実施形態に係るブローライフル１を使用するに際しては、図８（ａ）に示すように、吹筒体２における開閉部材４が、図２に示す閉位置にある場合には、開閉部材４の取手部１１ｆ又は１１ｒを手（指）で持ち、前方（飛出口Ｐｐ側）へ移動させることにより装填口３を開放状態にする。図８（ａ）は、この状態を示している。
【００３９】
そして、装填口３を上に向け、用意した飛体Ｄｆ（矢Ｄ）を装填口３に対して上から投入（収容）する。即ち、図８（ａ）に示すように、飛体Ｄｆを矢印Ｆａ方向に収容する。このように、飛体Ｄｆを吹筒体２に収容するに際しては、吹込口Ｐｓから離れた位置に設けた装填口３から投入できるため、吹込口Ｐｓに、飛体Ｄｆや手（指）が無用に接触してしまう不具合を回避することができ、吹込口Ｐｓに対する無用な汚れを防止できる。また、吹筒体２に対して、容易に飛体Ｄｆの装填できるとともに、装填した後における移動（位置ズレ）を防止することができる。
【００４０】
次いで、開閉部材４の取手部１１ｆ又は１１ｒを手（指）で持ち、図８（ｂ）に示すように、後方（吹込口Ｐｓ側）へ移動、即ち、矢印Ｆｂ方向へ移動させることにより、装填口３を閉塞する。この際、開閉部材４の移動は、吹込ピース１２により規制されるため、開閉部材４の端部が吹込ピース１２に当接したなら移動操作を止める。したがって、開閉部材４を吹込口Ｐｓ側へ移動操作した際における閉位置の位置決めを行うことができるため、装填口３を迅速かつ確実に閉じる（密閉する）ことができる。図８（ｂ）は、この状態を示している。
【００４１】
これにより、吹筒体２への飛体Ｄｆの装填が終了するため、図８（ｂ）に示すように、使用者Ｈの口（唇）を吹込口Ｐｓに当て、吹込口Ｐｓから空気Ａを勢いよく吹き込めば、内部の飛体Ｄｆを吹筒体２の先端における飛出口Ｐｐから外部の前方に飛び出させることができる。
【００４２】
次に、図１〜図８を基本構成とした本実施形態に係るブローライフル１の各部における変更例について、図９〜図１２を参照して説明する。
【００４３】
図９及び図１０は、吹筒体２（パイプ部材Ｐ）の変更例を示す。図９及び図１０に示す変更例は、図９に示すように、装填口３と吹込口Ｐｓ間に、矢Ｄの移動を阻止する内方に突出したストッパ部Ｐｋ…を設けたものである。例示のストッパ部Ｐｋ…は、カシメ工具又はポンチ等を使用し、図１０に示すように、パイプ部材Ｐの上下左右の四個所に、周面の一部を外面から内部に膨出させて形成したものである。
【００４４】
したがって、このようなストッパ部Ｐｋ…を設ければ、使用時の空気吸い込みにより矢Ｄが吸込み方向に移動した場合であっても、当該移動を確実に阻止することができるため、誤って矢Ｄが使用者の口の中に入ってしまう弊害を回避できる利点がある。
【００４５】
また、図１１及び図１２は、吹込ピース１２の変更例を示す。図１１及び図１２は、いずれも、吹込ピース１２の素材を選定、即ち、ゴム素材や軟性の合成樹脂素材等を使用することによりパイプ部材Ｐの一端側に対して吹込ピース１２を着脱可能に構成したものである。したがって、吹込ピース１２は、パイプ部材Ｐの一端側に固定により設けてもよいし、着脱可能に設けてもよい。この場合、パイプ部材Ｐの一端側の外周面に周方向に沿ったリング溝を設け、かつ吹込ピース１２の内周面に当該リング溝に嵌合する周方向に沿ったリング条を設けるなどにより容易に抜け落ちないように構成することも可能である。
【００４６】
図１１（ａ）に示す吹込ピース１２１（１２）は、使用者の口に装着する部位を、より小径の吹込口Ｐｓとなる装着部２１を設けたものであり、例えば、子供等でも容易に使用することができる。一方、図１１（ｂ）に示す吹込ピース１２２（１２）は、使用者の口に装着する部位を、より大きい吹込口Ｐｓとなるように、漏斗状の装着部２２を設けたものであり、この装着部２２は、使用者の唇を覆うように装着することができる。このように、パイプ部材Ｐの一端側に対して吹込ピース１２を着脱可能に構成すれば、様々なタイプの吹込ピース１２を選択して装着可能になるため、使用者の特性や好み等に応じて任意の吹込ピース１２を使用できる利点がある。
【００４７】
図１２に示す吹込ピース１２３（１２）は、吹込ピース１２の少なくとも一部に延長用のフレキシブルホース１２ｈを含ませたものである。例示の吹込ピース１２３は、パイプ部材Ｐの一端側に着脱する着脱部２６と、吹込口Ｐｓを有する装着部２７と、この装着部２７と上記着脱部２６間を連通可能に連結するフレキシブルホース本体部２５を備える。なお、着脱部２６は図５に示した形状の吹込ピース１２に対応する。また、このフレキシブルホース本体部２５には、一部を抽出して示す拡大図のように、一例として、蛇腹ホール２５ｊを用いることができる。このように、吹込ピース１２の少なくとも一部に延長用のフレキシブルホース１２ｈを含ませれば、使用時におけるブローライフル１の位置や角度（方向）を自由に設定できるため、例えば、吹筒体２を小脇に抱えるライフルのエイミングゲームへの応用が可能になるなど、ブローライフル１の面白さをより高めることができるとともに、様々な場所においての使用可能性を高めることができ、ブローライフル１の多様性，汎用性及び発展性に寄与できる利点がある。
【００４８】
以上、好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００４９】
例えば、装填口３は、パイプ部材Ｐの径方向Ｆｄにおける周面部Ｐｆの半部を切欠いて形成した場合を示したが、この場合の半部とは、正確な半分を意味するものではなく、少なくとも上方から矢Ｄを投入可能に切欠く意味であり、例えば、半分以下であっても投入可能であればよいし、強度的に問題がなければ半分以上であってもよい。また、開閉部材４は、周面部Ｐｆの外周面Ｐｆｏ上に、軸方向Ｆｓへスライド移動可能に配したパイプ体Ｑにより構成した場合を例示したが、ヒンジにより回動変位できるカバー等を付設した開閉機構であってもよい。さらに、開閉部材４には、当該開閉部材４を移動させる取手部１１ｆ，１１ｒを設けた場合を示したが、全体をプラスチック等により形成し、所定の厚みを有する場合には、必ずしも取手部１１ｆ，１１ｒを設けることを要しない。他方、矢Ｄとして、飛体Ｄｆを例示したが、公知の各種矢Ｄを適用可能である。
【産業上の利用可能性】
【００５０】
本考案に係るブローライフル１は、玩具及び屋内スポーツに利用できることに加え、これらの中間的な分野となる大人のレクリエーション，健康増進，屋外スポーツ等を目的した用具として幅広い分野で利用できる。
【符号の説明】
【００５１】
１：ブローライフル，２：吹筒体，３：装填口，４：開閉部材，１１ｆ：取手部，１１ｒ：取手部，１２：吹込ピース，１２ｈ：フレキシブルホース，Ｐ：パイプ部材，Ｐｓ：吹込口，Ｐｐ：飛出口，Ｐｆ：パイプ部材の周面部，Ｐｆｏ：パイプ部材の外周面，Ｐｉ：パイプ部材の内部，Ａ：空気，Ｄ：矢，Ｆｄ：径方向，Ｆｓ：軸方向，Ｑ：パイプ体，Ｐｋ…：ストッパ部
【図１】
2019074248.tif 000003
【図２】
2019074248.tif 000004
【図３】
2019074248.tif 000005
【図４】
2019074248.tif 000006
【図５】
2019074248.tif 000007
【図６】
2019074248.tif 000008
【図７】
2019074248.tif 000009
【図８】
2019074248.tif 000010
【図９】
2019074248.tif 000011
【図１０】
2019074248.tif 000012
【図１１】
2019074248.tif 000013
【図１２】
2019074248.tif 000014